【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
ガラスシートを成形する方法であって、
ｉ．前記ガラスシートを成形に適する温度まで加熱するステップと、
ｉｉ．前記ガラスシートを第１の曲げ工具上に置くステップであって、前記第１の曲げ工具がその上の前記ガラスシートを支持し、前記ガラスシートが前記第１の曲げ工具に対して第１の位置にある、ステップと、
ｉｉｉ．前記ガラスシートが前記第１の曲げ工具に対して第２の位置に移動されるように前記ガラスシートの縁部分を接触させるステップと、
ｉｖ．前記第１の曲げ工具上で前記ガラスシートを成形するステップと、を含む、前記方法。
【請求項２】
前記第１の曲げ工具が、前記ガラスシートを上に支持するための上部成形面を有する少なくとも１つの成形レールを含む、及び／又は、前記第１の曲げ工具がリングを含み、前記リングが前記ガラスシートをその外周領域において支持するように構成されている、請求項１に記載の方法。
【請求項３】
ステップ（ｉｖ）の間に、前記ガラスシートを前記第１の曲げ工具と第２の曲げ工具との間でプレス曲げすることによって、前記第１の曲げ工具上で前記ガラスシートが成形される、請求項１または請求項２に記載の方法。
【請求項４】
ステップ（ｉｖ）の間に、前記第１の曲げ工具をその上の前記ガラスシートと共に前記第２の曲げ工具に対して移動させて、前記第１の曲げ工具の少なくとも一部分と前記第２の曲げ工具の少なくとも一部分との間で、前記ガラスシートの少なくとも一部分をプレス曲げすることによって、前記ガラスシートが前記第１の曲げ工具上で成形される、請求項３に記載の方法。
【請求項５】
前記第２の曲げ工具が凸形成形面を有し、前記第１の曲げ工具が相補的な凹形成形面を有する、請求項３または請求項４に記載の方法。
【請求項６】
前記第２の曲げ工具が全面成形型（ｆｕｌｌ−ｆａｃｅｄ  ｍｏｕｌｄ）である、請求項３〜５のいずれかに記載の方法。
【請求項７】
前記第２の曲げ工具が、少なくとも２つの部分（第１の部分及び第２の部分）を含み、好ましくは前記第２の曲げ工具の前記第１の部分が前記第２の曲げ工具の前記第２の部分に対して移動可能である、請求項３〜５のいずれかに記載の方法。
【請求項８】
ステップ（ｉｖ）の間に、前記第２の曲げ工具の表面における１つ以上の開口部を通して真空が適用される、請求項３〜７のいずれかに記載の方法。
【請求項９】
ステップ（ｉｖ）の間に、前記ガラスシートは、任意に前記ガラスシートの選択的な領域を成形するために追加の押圧を提供することによって、前記第１の曲げ工具上で支持されながら重力の影響下で垂れ下がることによって成形される、請求項１〜３のいずれかに記載の方法。
【請求項１０】
ステップ（ｉｉ）の間に、前記第１の曲げ工具を前記ガラスシートに対して移動させることによって、及び／又は、前記ガラスシートを前記第１の曲げ工具上に落下させることによって、前記第１の曲げ工具上に、前記ガラスシートが置かれる、請求項１〜９のいずれかに記載の方法。
【請求項１１】
ステップ（ｉｉ）の前に、最適な成形のための前記第１の曲げ工具に対する前記ガラスシートの目標位置が存在し、ステップ（ｉｉｉ）の後に、前記第１の曲げ工具に対する前記ガラスシートの前記第２の位置が、前記第１の曲げ工具に対する前記ガラスシートの前記第１の位置に比べて、前記目標位置により近くなるように、前記第１の位置が前記目標位置から意図的にずらされている、又は、前記ガラスシートの前記第２の位置が前記ガラスシートの前記第１の位置に比べて前記目標位置により近い、請求項１〜１０のいずれかに記載の方法。
【請求項１２】
ステップ（ｉｉｉ）の間に、前記第１の曲げ工具に隣接して位置決めされた可動部分と、前記可動部分に隣接して位置決めされた固定部分と、前記固定部分と前記可動部分との間に配置されたアクチュエータとを含む位置決めデバイスが、前記アクチュエータを係合させると、前記可動部分が前記固定部分に対して移動させられて、前記ガラスシートの前記縁部分に接触し、前記ガラスシートを前記第１の位置から前記第２の位置へと移動させるように提供される、請求項１〜１１のいずれかに記載の方法。
【請求項１３】
ステップ（ｉｉｉ）の間に、前記ガラスシートと前記第１の曲げ工具との間に相対的な垂直の移動はない、並びに／或いは、前記ガラスシートが、単一のガラスシートであるか、または少なくとも２枚のガラスシートを含むガラスシートが積層している１枚のシートである、請求項１〜１２のいずれかに記載の方法。
【請求項１４】
高温ガラスシートのための位置決めデバイスであって、
ガラスシート曲げ操作の曲げ工具に隣接して位置決めされた可動部分と、
前記可動部分に隣接して位置決めされた固定部分と、
前記固定部分と前記可動部分との間に配置されたアクチュエータとを含み、前記アクチュエータの係合に応答して、前記可動部分が前記ガラスシートの縁に接触して、その位置を調整する、位置決めデバイス。
【請求項１５】
前記可動部分がプッシャー部分を含む、請求項１４に記載の高温ガラスシートのための位置決めデバイス。
【請求項１６】
前記プッシャー部分がシート金属から形成される、又は、前記プッシャー部分がバネ鋼から形成される、請求項１５に記載の高温ガラスシートのための位置決めデバイス。
【請求項１７】
前記プッシャー部分の断面形状が平坦である、又は、前記プッシャー部分の断面形状が起伏を含む、又は、前記プッシャー部分の断面形状が２つの起伏を含む、請求項１５に記載の高温ガラスシートのための位置決めデバイス。
【請求項１８】
前記可動部分が前記固定部分に移動可能に結合される、請求項１４に記載の高温ガラスシートのための位置決めデバイス。
【請求項１９】
高温ガラスシートを位置合わせするための方法であって、
第１の曲げ工具を含むガラス曲げ操作を提供するステップと、
位置決めデバイスを提供するステップであって、前記位置決めデバイスが、
前記第１の曲げ工具に隣接して位置決めされた可動部分、
前記可動部分に隣接して位置決めされた固定部分、及び
前記固定部分と前記可動部分との間に配置されたアクチュエータを含む、ステップと、
前記高温ガラスシートを前記第１の曲げ工具上に配置するステップと、
前記可動部分を前記固定部分に対して移動させるように前記アクチュエータを係合するステップと、
前記ガラスシートの縁を前記可動部分と接触させて、前記第１の曲げ工具に対して前記高温ガラスシートの位置を調整するステップとを含む、方法。
【請求項２０】
高温ガラスシートのための位置決めデバイスであって、
ガラスシート曲げ操作の曲げ工具に隣接して位置決めされた可動部分と、
傾動ポイントを有し、前記可動部分に隣接して位置決めされた傾動ポスト取付け台と、
前記固定部分と前記可動部分との間に配置された第１のアクチュエータと、
前記傾動ポスト取付け台の部分の間に配置された第２のアクチュエータであって、前記第１のアクチュエータの係合に応答して、前記可動部分が前記ガラスシートの縁に接触してその位置を調整し、また前記第２のアクチュエータの係合に応答して、前記可動部分及び前記傾動ポスト取付け台の一部分が前記傾動ポイントの周辺で移動される、前記第２のアクチュエータと、を含む、前記位置決めデバイス。
【請求項２１】
ガラスシートを成形するためのガラス成形ラインであって、
前記ガラスシートを成形に適する温度まで加熱するための炉と、
前記ガラスシートを、前記炉を通して搬送するためのコンベヤ手段と、
ガラス曲げ操作中に前記ガラスシートをその上に支持するための第１の曲げ工具と、前記第１の曲げ工具に対して配置された少なくとも１つの（第１の）位置決めデバイスとを含むガラスシート成形セクションを含み、
ガラスシートが前記第１の曲げ工具上に支持されるとき、前記第１の位置決めデバイスは第１の構成から第２の構成へと移動可能であり、前記第１の曲げ工具上で前記ガラスシートの縁に接触して、前記第１の曲げ工具上で前記ガラスシートの位置を調整することを特徴とする、ガラス成形ライン。
【請求項２２】
前記ガラスシートを前記コンベヤ手段から前記第１の曲げ工具上へと移送するための移送手段を更に含む、及び／又は、前記第１の曲げ工具が、その外周領域において前記ガラスシートを支持するようにリングとして構成される、及び／又は、前記ガラスシート成形セクションが、前記第１の曲げ工具と協働して前記ガラスシートをその間に成形するように構成された第２の曲げ工具を含む、及び／又は、前記ガラスシート成形セクションが、一対の相補的な成形部材を含むプレス曲げセクションである、請求項２１に記載のガラス成形ライン。
【請求項２３】
高温ガラスシートを位置合わせするための方法であって、
第１の曲げ工具を含むガラス曲げ操作を提供するステップと、
前記高温ガラスシートを前記第１の曲げ工具上に配置するステップと、
アクチュエータを係合して、前記第１の曲げ工具に対して位置決めデバイスを移動させるステップと、
前記ガラスシートの縁を前記位置決めデバイスと接触させて、前記第１の曲げ工具上で前記高温ガラスシートの位置を調整するステップとを含む、方法。
【請求項２４】
高温ガラスシートをプレス曲げするための装置であって、
第１の曲げ工具と、
前記第１の曲げ工具と協働するように成形された第２の曲げ工具と、
前記第１の曲げ工具及び前記第２の曲げ工具の少なくとも１つに隣接して配置された位置決めデバイスと、を含み、前記位置決めデバイスの係合に応答して、前記位置決めデバイスが、前記第１の曲げ工具及び前記第２の曲げ工具のうちの１つの上に配置された高温ガラスシートの縁に接触して、前記高温ガラスシートの位置を調整する、装置。